(57)【要約】【課題】 揺らぎ吸収バッファのバッファ長及びバッファ蓄積制限時間を長くすることにより、FAX通信品質を向上させた場合であっても、受信側のファクシミリ装置にスムーズにPIX情報を流せるようにする。【解決手段】 制御部2Hは、CED検出手段2EがCEDを検出すると、受信側がG3FAXであると判断し、揺らぎ吸収バッファ2Aのバッファ長及びバッファ蓄積制限時間を音声通話時よりも長くする。これにより、FAX通信品質が向上する。プリアンブル延長手段2Cは、逆パケット化手段2Bで再現されたPIX情報のプリアンブルを延長した後、受信側のG3FAX 1Gへ送信する。これにより、PIX情報がスムーズに(断続的にならずに)に受信側のG3FAX 1Gへ流れるようになる。【選択図】      図1
2006121176.tif 000002
【特許請求の範囲】
【請求項１】
揺らぎ吸収バッファを備えたゲートウェイにおいて、
パケットの受信側がファクシミリ装置である場合、前記パケットを蓄積する揺らぎ吸収バッファのバッファ長を音声通話時よりも長くする構成を有すると共に、前記揺らぎ吸収バッファから読み出したパケットを逆パケット化することにより再現したPIX情報を、そのプリアンブルを延長した後、前記ファクシミリ装置へ送信する構成を有することを特徴とするゲートウェイ。
【請求項２】
請求項１記載のゲートウェイにおいて、
前記揺らぎ吸収バッファのバッファ長を音声通話時よりも長くする構成の代わりに、前記揺らぎ吸収バッファのバッファ蓄積制限時間を音声通話時よりも長くする構成を有することを特徴とするゲートウェイ。
【請求項３】
請求項１記載のゲートウェイにおいて、
前記揺らぎ吸収バッファから読み出したパケットを逆パケット化する際に音声パケット補償を行うと共に、所定時間の間に行われた音声パケット補償の回数に応じて、前記揺らぎ吸収バッファのバッファ長を変更する構成を有することを特徴とするゲートウェイ。
【請求項４】
請求項２記載のゲートウェイにおいて、
前記揺らぎ吸収バッファから読み出したパケットを逆パケット化する際に音声パケット補償を行うと共に、所定時間の間に行われた音声パケット補償の回数に応じて、前記揺らぎ吸収バッファのバッファ蓄積制限時間を変更する構成を有することを特徴とするゲートウェイ。
【請求項５】
請求項３または４記載のゲートウェイにおいて、
前記ファクシミリ装置から肯定応答が戻ってきた場合、再度、前記肯定応答の要因となった信号を擬似的に前記ファクシミリ装置へ再送する構成を有することを特徴とするゲートウェイ。
【請求項６】
請求項５記載のゲートウェイにおいて、
前記肯定応答が、メッセージ確認信号（MCF)或いは受信準備確認信号(CFR)であり、
前記肯定応答の要因となった信号が、マルチページ信号(MPS)或いはトレーニングチェック信号(TCF)であることを特徴とするゲートウェイ。
【請求項７】
バッファ長及びバッファ蓄積制限時間を変更可能な揺らぎ吸収バッファと、
パケットの受信側がファクシミリ装置である場合、前記揺らぎ吸収バッファのバッファ長及びバッファ蓄積制限時間を音声通話時よりも長くする制御部と、
前記揺らぎ吸収バッファに蓄積されたパケットを逆パケット化することによりPIX情報を再現する際、音声パケット補償を行う逆パケット化手段と、
該逆パケット化手段で再現されたPIX情報のプリアンブルを延長するプリアンブル延長手段と、
前記ファクシミリ装置から送られてきた肯定応答の要因となった信号を擬似的に前記ファクシミリ装置へ送出する擬似送出手段とを備えたことを特徴とするゲートウェイ。
【請求項８】
請求項７記載のゲートウェイにおいて、
前記制御部が、
前記逆パケット化手段で所定時間の間に行われた音声パケット補償の回数に基づいて、前記揺らぎ吸収バッファのバッファ長及びバッファ蓄積制限時間を決定する構成を有することを特徴とするゲートウェイ。
【請求項９】
請求項８記載のゲートウェイにおいて、
前記制御部が、
前記決定したバッファ長或いは蓄積制限時間に基づいて、前記肯定応答の要因となった信号を擬似的に前記ファクシミリ装置へ送出する送出回数及び送出間隔を決定する構成を有することを特徴とするゲートウェイ。
【請求項１０】
揺らぎ吸収バッファを備えたゲートウェイにおけるファクシミリ通信品質向上方法であって、
パケットの受信側がファクシミリ装置である場合、前記パケットを蓄積する揺らぎ吸収バッファのバッファ長及びバッファ蓄積制限時間を音声通話時よりも長くし、且つ、前記揺らぎ吸収バッファから読み出したパケットを逆パケット化することにより再現したPIX情報を、そのプリアンブルを延長した後、前記ファクシミリ装置へ送信することを特徴とするファクシミリ通信品質向上方法。
【発明の詳細な説明】
【技術分野】
【０００１】
本発明は、ファクシミリ装置（FAX）の通信品質を向上させる技術に関し、特にVoP（Voice over Packets）においてみなし音声によりFAX通信を行う際の通信品質を向上させる技術に関する。
【背景技術】
【０００２】
近年、VoIP（Voice over IP）を始め、VoATM（Voice over ATM）、VoFR（Voice over フレームリレー）等のIP網やATM網、FR網などのパケット技術におけるデータ通信網において、電話音声を扱うサービスであるVoPが注目を集めるようになってきている。
【０００３】
従来の一般的なVoPでは、網内で発生する不均等なパケット到着遅延時間差（揺らぎ）を除去する為に、受信側VoPゲートウェイの揺らぎ吸収バッファ内にパケットを一定量蓄積して、時間差を均等に調整する処理を行う。
【０００４】
図８に上述した処理を行う従来の一般的なVoPの構成例を示す。
【０００５】
図８において、1A及び1GはTTC標準のJT-T30「一般電話交換網における文書ファクシミリ交換手順」などの規定に基づき製品化された従来技術によるG3FAX（G3ファクシミリ装置）である。同図は、G3FAX 1AからG3FAX 1GへFAX送信を行う場合を想定している。
【０００６】
1B及び1FはPBX（構内交換機）等である。但し加入者電話網やISDN回線等、宅内向け公衆回線を利用する場合は、PBX 1B及びPBX 1Fは不要となる場合がある。
【０００７】
1DはVoP網であり、1C及び1EはVoP網1Dの種類及び規定に基づいた従来技術によるVoPゲートウェイである。VoP網の種類によりVoIP（Voice over IP）、VoATM（Voice over ATM）、VoFR（Voice over フレームリレー）などの規定があり、各々ゲートウェイに関する規定も異なってくる。
【０００８】
1C1は音声のA/D変換（アナログ→デジタル変換）手段である。A/D変換の原理は広く周知された従来技術による。VoPにおける代表的なA/D変換手法としてはPCM（G.711）、32K ADPCM（G.726）、8K CS-ACELP（G.729）などが挙げられる。
【０００９】
1C2は音声データ（G3FAX通信の場合はPIX情報）のパケット生成手段である。パケット通信の基本的な原理はITU-T国際標準のX.25で勧告されており、網の規定（ATM、フレームリレー、IP 等）によって一部差分があるものの原理は共通である為、本文での説明は割愛する。
【００１０】
1E1は音声パケットの逆パケット化手段である。パケット生成手段1C2の逆手順である為、本文での説明は割愛する。
【００１１】
1E2は音声データのD/A変換（デジタル→アナログ変換）手段である。A/D変換手段1C1の逆手順である為、本文での説明は割愛する。
【００１２】
1E3は揺らぎ吸収バッファであり、そのバッファ長及びバッファ蓄積制限時間は固定になっている。G.144音声遅延ガイドライン（図１０を参照）によると、ユーザに違和感を抱かせずに通話可能な片方向遅延は0〜150msが限度とされており、この基準を満たすように、揺らぎ吸収バッファ1E3のバッファ長及びバッファ蓄積制限時間が固定的に定められている。
【００１３】
次に、図８の動作について説明する。
【００１４】
G3FAX 1Aからのデータ(音声データ或いはFAXデータ)は、PBX 1Bを介して送信側のVoPゲートウェイ1Cに送られる。VoPゲートウェイ1Cでは、送られてきたデータをA/D変換手段1C1でディジタル化し、更に、パケット生成手段1C2でパケット化し、VoP網1Dを介して受信側のVoPゲートウェイ1Eへ送信する。
【００１５】
今、例えば、図９に示すように、送信側のVoPゲートウェイ1Cから受信側のVoPゲートウェイ1Eに対してパケット[1]〜[10]が送信されたとする。
【００１６】
パケット[1]〜[10]は、VoP網1Dの可変的な遅延要因（ノードでの待ち時間など）によりパケット間隔が不均等となり、到着時間が早くなったり遅くなったりする。これが一般に“遅延時間の揺らぎ”と呼ばれ、そのまま音声として再生すると、音の途切れ・乱れが発生することになる。この対策として、パケットを揺らぎ吸収バッファ1E3に一旦蓄積する。
【００１７】
パケット[2]は、到着が遅延してバッファ蓄積制限時間（一定時間）に間に合わなかったパケットである（3A）。揺らぎ吸収バッファ1E3に蓄積されたパケット群は、遅延したパケット（3A）分は空きのまま（3B）、一定時間経過後に揺らぎ吸収バッファ1E3から逆パケット化手段1E1へ取り出される。
【００１８】
この時点ではパケット群は到着順に並んでいる。図９ではパケット[4]はパケット[5]より遅れて到着したことを表わしている（3C）。逆パケット化手段1E1では音声補償と、タイムスタンプによる同期を行う（3D）。到着が遅延したパケット[2]分不足した音声データを前音補償やホワイトノイズ等により音声補償する。図９では前音補償の手段を用いる事を想定しており、不足したパケット[2]分の音声データは、パケット[1]の音声データにより補償されている。また同時にパケット[5]より到着が遅れたパケット[4]の並び順を入替える操作によりタイムスタンプによる同期を行っている。
【００１９】
尚、到着遅延して音声データの再現に間に合わなかったパケット[2]は、逆パケット化手段1E1において破棄される。即ちパケット[2]は次回の手順において破棄されることとなる。
【００２０】
これにより音声データは音声補償された状態で再現される（3E）。以上が従来、一般的に行われている音声データ再現時の動作である。
【００２１】
上述した従来の技術以外にも、多種の情報メディアを通信する通信インタフェース装置において、データを受信する受信バッファのバッファ長を受信データの情報メディア種別に応じて変更するという技術も提案されている（例えば、特許文献１参照）。この特許文献１に記載されている従来の技術では、情報メディア種別がFAXである場合には、情報メディア種別が音声である場合に比較して受信バッファ長を長くすることにより、FAX通信品質が低下することを防止している。
【特許文献１】特開２００４−３２１９５号公報
【発明の開示】
【発明が解決しようとする課題】
【００２２】
図８に示した従来の技術では、揺らぎ吸収バッファのバッファ長及びバッファ蓄積制限時間が固定であるため、受信側VoPゲートウェイにおいては、音声通話もG3FAX通信も一律の確率で音声補償される。音声補償は音声通話をある程度違和感無く行うには欠かせない技術ではあるが、音声補償を行えば行うほど通話品質の低下は免れず、高品質な音声通信を要求するG3FAX通信にとって不利な転送条件となり、G3FAX通信品質が低下してしまう。
【００２３】
そこで、図８に示した従来の技術と、特許文献１に記載されている従来の技術とを組み合わせるということが考えられる。即ち、図８に示した受信側のVoPゲートウェイ1E内の揺らぎ吸収バッファ1E3のバッファ長及びバッファ蓄積制限時間を変更可能にし、G3FAX通信時には音声通話時よりも長くするということが考えられる。このようにすることにより、G3FAX通信時には、音声パケット補償を行う回数を音声通信時よりも削減することができるので、G3FAX通信の品質を高めることができる。
【００２４】
しかしながら、上述したように２つの従来の技術を組み合わせた場合には、バッファ蓄積時間が長くなるため、受信側のG3FAXが受信するPIX情報が断続的になる可能性が高くなり、受信側のG3FAXに悪影響を与える可能性が高くなる。アナログベースの音声通話でデータをやり取りするG3FAXにおいては、PIX情報が断続的になることは本来あり得ない現象であるので、既存のG3FAXでは、PIX情報中断によるデータ受信失敗と見なされ、最悪、タイムアウトとなってしまう可能性がある。
【００２５】
そこで、本発明の目的は、バッファ蓄積時間を長くすることにより、FAX通信品質を向上させた場合であっても、受信側のファクシミリ装置にスムーズにPIX情報を流せるようにすることにある。
【課題を解決するための手段】
【００２６】
本発明にかかる第１のゲートウェイは、
揺らぎ吸収バッファを備えたゲートウェイにおいて、
パケットの受信側がファクシミリ装置である場合、前記パケットを蓄積する揺らぎ吸収バッファのバッファ長を音声通話時よりも長くする構成を有すると共に、前記揺らぎ吸収バッファから読み出したパケットを逆パケット化することにより再現したPIX情報を、そのプリアンブルを延長した後、前記ファクシミリ装置へ送信する構成を有することを特徴とする。
【００２７】
本発明にかかる第２のゲートウェイは、第１のゲートウェイにおいて、
前記揺らぎ吸収バッファのバッファ長を音声通話時よりも長くする構成の代わりに、前記揺らぎ吸収バッファのバッファ蓄積制限時間を音声通話時よりも長くする構成を有することを特徴とする。
【００２８】
本発明にかかる第３のゲートウェイは、第１のゲートウェイにおいて、
前記揺らぎ吸収バッファから読み出したパケットを逆パケット化する際に音声パケット補償を行うと共に、所定時間の間に行われた音声パケット補償の回数に応じて、前記揺らぎ吸収バッファのバッファ長を変更する構成を有することを特徴とする。
【００２９】
本発明にかかる第４のゲートウェイは、第２のゲートウェイにおいて、
前記揺らぎ吸収バッファから読み出したパケットを逆パケット化する際に音声パケット補償を行うと共に、所定時間の間に行われた音声パケット補償の回数に応じて、前記揺らぎ吸収バッファのバッファ蓄積制限時間を変更する構成を有することを特徴とする。
【００３０】
本発明にかかる第５のゲートウェイは、第３または第４のゲートウェイにおいて、
前記ファクシミリ装置から肯定応答が戻ってきた場合、再度、前記肯定応答の要因となった信号を擬似的に前記ファクシミリ装置へ再送する構成を有することを特徴とする。
【００３１】
本発明にかかる第６のゲートウェイは、第５のゲートウェイにおいて、
前記肯定応答が、メッセージ確認信号（MCF)或いは受信準備確認信号(CFR)であり、
前記肯定応答の要因となった信号が、マルチページ信号(MPS)或いはトレーニングチェック信号(TCF)であることを特徴とするゲートウェイ。
【００３２】
本発明にかかる第７のゲートウェイは、
バッファ長及びバッファ蓄積制限時間を変更可能な揺らぎ吸収バッファと、
パケットの受信側がファクシミリ装置である場合、前記揺らぎ吸収バッファのバッファ長及びバッファ蓄積制限時間を音声通話時よりも長くする制御部と、
前記揺らぎ吸収バッファに蓄積されたパケットを逆パケット化することによりPIX情報を再現する際、音声パケット補償を行う逆パケット化手段と、
該逆パケット化手段で再現されたPIX情報のプリアンブルを延長するプリアンブル延長手段と、
前記ファクシミリ装置から送られてきた肯定応答の要因となった信号を擬似的に前記ファクシミリ装置へ送出する擬似送出手段とを備えたことを特徴とする。
【００３３】
本発明にかかる第８のゲートウェイは、第７のゲートウェイにおいて、
前記制御部が、
前記逆パケット化手段で所定時間の間に行われた音声パケット補償の回数に基づいて、前記揺らぎ吸収バッファのバッファ長及びバッファ蓄積制限時間を決定する構成を有することを特徴とする。
【００３４】
本発明にかかる第９のゲートウェイは、第８のゲートウェイにおいて、
前記制御部が、
前記決定したバッファ長或いは蓄積制限時間に基づいて、前記肯定応答の要因となった信号を擬似的に前記ファクシミリ装置へ送出する送出回数及び送出間隔を決定する構成を有することを特徴とする。
【００３５】
本発明にかかるゲートウェイにおけるファクシミリ通信品質向上方法は、
揺らぎ吸収バッファを備えたゲートウェイにおけるファクシミリ通信品質向上方法であって、
パケットの受信側がファクシミリ装置である場合、前記パケットを蓄積する揺らぎ吸収バッファのバッファ長及びバッファ蓄積制限時間を音声通話時よりも長くし、且つ、前記揺らぎ吸収バッファから読み出したパケットを逆パケット化することにより再現したPIX情報を、そのプリアンブルを延長した後、前記ファクシミリ装置へ送信することを特徴とする。
【００３６】
〔作用〕
本発明にかかるゲートウェイは、パケットの受信側がファクシミリ装置である場合は、パケットを蓄積する揺らぎ吸収バッファのバッファ長或いはバッファ蓄積制限時間の少なくとも一方を、音声通話時よりも長くする。これにより、到着遅延により破棄されるパケット数を減少させることができる。更に、本発明にかかるゲートウェイでは、PIX情報のプリアンブルを延長した後、受信側のファクシミリ装置へ送信するようにしているので、バッファ長或いはバッファ蓄積制限時間の内の少なくとも一方を長くすることにより、FAX通信品質を向上させた場合であっても、受信側のファクシミリ装置にスムーズにPIX情報を流すことが可能になる。
【発明の効果】
【００３７】
本発明によれば、ファクシミリ通信時に揺らぎ吸収バッファのバッファ長を長くすることにより、ファクシミリ通信品質を高めるようにした場合であっても、受信側のファクシミリ装置にPIX情報をスムーズに流すことが可能になり、その結果、受信側のファクシミリ装置に悪影響を及ぼす危険性が少なくなる。その理由は、揺らぎ吸収バッファから読み出したパケットを逆パケット化することにより再現したPIX情報を、そのプリアンブルを延長した後、受信側のファクシミリ装置へ送信するようにしているからである。
【発明を実施するための最良の形態】
【００３８】
次に本発明の実施の形態について図面を参照して詳細に説明する。
【００３９】
図１は本発明の第１の実施の形態において使用する受信側のVoPゲートウェイ2の構成例を示すブロック図である。このVoPゲートウェイ2は、図８に示した受信側のVoPゲートウェイ1Eの代わりに利用されるものである。即ち、本実施の形態の全体構成は、図８において、VoPゲートウェイ1EをVoPゲートウェイ2で置き換えたものとなる。
【００４０】
図１において、2Aはパケット遅延の揺らぎ吸収バッファである。網内で発生する不均等なパケット到着遅延時間差（揺らぎ）を除去する為に、揺らぎ吸収バッファ 2Aの内部にパケットを一定時間蓄積して、時間差を均等に調整する処理を行う。バッファ長及びバッファ蓄積制限時間が固定された揺らぎ吸収バッファならば、前述した図８のVoPゲートウェイ1E内にも設けられているが、本実施の形態の揺らぎ吸収バッファ2Aは、更にCED検出手段 2EによりCEDを検出して受信側端末をG3FAXであると判断できる場合、制御部 2Hからの指示に従い揺らぎ吸収バッファ長及びバッファ蓄積制限時間を通常の音声通話時よりも大きく確保する機能を有する。これにより前音補償やホワイトノイズ等による音声パケット補償を行う回数を削減して、逆パケット化で再現されるPIX情報の精度を向上する。
【００４１】
また、揺らぎ吸収バッファ 2Aは、バッファ長及びバッファ蓄積制限時間が大きいほど大きな遅延変動を吸収できるが、その反面、バッファに蓄積することによる遅延が大きくなり、極端に長大なバッファ長及びバッファ蓄積制限時間の確保は音声通話に許容できない音声遅延を与える。この為、従来技術によるVoPゲートウェイでは一律で音声通話に許容できる程度の遅延に抑えるだけのバッファ長に定められている。しかしながらG3FAX通信であれば音声通話時以上に大きな遅延も許容できることを論拠として、本実施の形態による受信側VoPゲートウェイ2ではG3FAX通信と判断した場合にバッファ長及びバッファ蓄積制限時間を大きく確保するようにしている。
【００４２】
2Bは逆パケット化手段である。逆パケット化手段2Bでは音声補償とタイムスタンプによる同期を行う。音声補償とは、到着が遅延した為に破棄されるパケット分不足する音声データの欠けを、前音補償やホワイトノイズ等により補償する機能である。タイムスタンプによる同期とは、パケットに付与されたタイムスタンプを元にパケットの並び替えを行う機能である。
【００４３】
2Cはプリアンブル延長手段である。プリアンブル延長手段2Cでは、PIX情報のHDLCフレームのプリアンブル延長を行う。プリアンブルを延長する時間は、ユーザーインタフェース2Iにより任意に設定することができ、制御部2Hより制御(延長されるプリアンブル時間が指示)される。プリアンブル延長は、揺らぎ吸収バッファ2Aのバッファ長及びバッファ蓄積時間を長くすることによりFAX通信品質を向上させた場合であっても、受信側のファクシミリ装置にスムーズにPIX情報を流せるようにすることを意図として実施される。
【００４４】
2DはD/A変換手段である。D/A変換手段2Dは、図８の従来技術によるA/D変換1C1と同様の機能を有する。更に、D/A変換手段2Dは受信側のG3FAX 1Gから再送されたMCF/CFRを制御部2Hの指示に従いブロックする機能も併せ持つ。
【００４５】
2EはCED検出手段である。CED（被呼局確認信号）とはG3FAXサービスの接続動作シーケンスフロー(図４参照）で示されるフェーズ(A)「呼設定の手順（発着信制御）」の段階において受信側端末がFAX端末であり正常に受信可能であることを示す為に受信側FAXから送信側FAXへ送出される信号である。CED検出手段2Eは、受信側FAX 1GからのCEDを検出することで、開始される通信がG3FAX通信であることを察知して制御部2Hへ伝達する機能を有する。
【００４６】
2FはMCF/CFR検出手段である。このMCF/CFR検出手段2Fが扱うMCF(メッセージ確認信号)とはG3FAXサービスの接続動作シーケンスフロー（図４参照）で示されるフェーズ(D)「メッセージ伝送が終了したことを確認する手順」の段階において、受信側FAXがPIX情報の頁1枚を受信完了確認して引き続き次頁のPIX情報が受信可能であることを示す受信側FAXから送信側FAXへ送出される信号であり、MPS/EOM/EOP信号への肯定応答となる。また、CFR（受信準備確認信号）とは、G3FAXサービスの接続動作シーケンスフロー（図４参照）で示されるフェーズ(B)「呼設定の後、メッセージ伝送に先立って行う手順」の段階において、メッセージ前手順フェーズ(B)が全て終了し、メッセージ（PIX情報）送出を開始して良いことを示す受信側FAXから送信側FAXへ送出される信号であり、TCF信号の肯定応答となる。MCF/CFR検出手段 2Fは受信側FAXからのMCF/CFRを検出して制御部 2Hへ伝達する機能を有する。
【００４７】
2Gは擬似MPS/EOM/TCF送出手段である。擬似MPS/EOM/TCF送出手段2Gが扱うMPS（マルチページ信号）とはG3FAXサービスの接続動作シーケンスフロー（図４参照）で示されるフェーズ(D)「メッセージ伝送が終了したことを確認する手順」の段階においてPIX情報の頁1枚の終わりを示し、フェーズ(C)「メッセージ伝送」の始めに戻ることを示す為に送信側FAXから受信側FAXへ送出される信号である。また、EOM（メッセージ終了信号）とはG3FAXサービスの接続動作シーケンスフロー（図４参照）で示されるフェーズ(D)「メッセージ伝送が終了したことを確認する手順」の段階においてPIX情報の頁1枚の終わりを示し、フェーズ(B)「呼設定の後、メッセージ伝送に先立って行う手順」の始めに戻ることを示す為に送信側FAXから受信側FAXへ送出される信号である。MPSとEOMは近い性質を持つ信号だが、EOMはFAX通信のモード変更を行う為にフェーズ(B)まで戻る場合に用いられる。TCF（トレーニングチェック信号）とはフェーズ(B)において、この伝送速度でチャネルが使用できるかどうかを確認する為に送信側FAXから受信側FAXへ送出される信号である。TCF完了後、後述するFAXシーケンスのフェーズ(C)に移行する。尚、MPS/EOM/TCFは再送が可能である。TTC標準JT-T30で再送間隔は3秒毎・3回までと勧告されている。擬似MPS/EOM/TCF送出手段 2Gは、制御部 2Hからの指示に従い、受信側FAXに対して送信側FAXになりすましてMPS/EOM/TCFを擬似的に再送して、受信側FAXに次頁のPIX情報を届ける時間を引き延ばす機能を有する。尚、TCF，MPS送信間隔，送信回数は、ユーザインタフェース2Iを利用してユーザがTTC標準JT-T30で勧告されている範囲内で任意に設定でき、制御部2Hはこの設定に従って擬似MPS/EOM/TCF送出手段 2Gに対して指示を出す。
【００４８】
2Hは制御部である。制御部2Hは CED検出手段2Eからの伝達を受け、開始される通信がG3FAX通信であることを察知して、自律的もしくはユーザインタフェース2Iの入力に応じて、以下の４つの機能を制御する。
【００４９】
(1)揺らぎ吸収バッファ2Aに対し、G3FAX通信時は音声通話時よりバッファ長及びバッファ蓄積制限時間の延長を指示する機能。
(2)プリアンブル延長手段2Cに対し、必要に応じてプリアンブルの延長を指示する機能。
(3)擬似MPS/EOM/TCF送出手段2Gに対し、必要に応じて擬似的なMPS/EOM/TCF出力を指示する機能。
(4)D/A変換手段2Dに対し、必要に応じて受信側FAXから送信されたMCF/CFRのブロックを指示する機能。
【００５０】
また、揺らぎ吸収バッファ2Aは、制御部2Hからの指示に従い、揺らぎ吸収バッファ長及びバッファ蓄積制限時間を通常の音声通話時よりも大きく確保するが、音声遅延が充分に少ない網環境において必要以上の制御はPIX情報の再現精度向上に繋がらず、むしろFAX伝送速度・出力の遅延を促す為、必要な容量のみ確保すれば良い。従って、制御部2Hは、揺らぎ吸収バッファ2Aのバッファ長及びバッファ蓄積制限時間の容量を、前音補償やホワイトノイズ等による音声パケット補償を行う回数によって自律的に最適化する機能を有する。
【００５１】
制御部2Hは、例えば、次のようにして揺らぎ吸収バッファ2Aのバッファ長及びバッファ蓄積制限時間を自律的に最適化する。制御部2Hは、CED検出手段2Eによって受信側端末がG3FAXであることが検出されると、先ず、予め定められているバッファ長L0及びバッファ蓄積制限時間T0を揺らぎ吸収バッファ2Aに対して指示する。これにより、揺らぎ吸収バッファ2Aは、バッファ長，バッファ蓄積制限時間を指示された値L0,T0にする。尚、バッファ長L0，バッファ蓄積制限時間T0は、音声通信時におけるバッファ長LV，バッファ蓄積制限時間TVよりも大きな値である。その後、制御部2Hは、所定時間毎に、以下の処理を行う。上記所定時間の間に逆パケット化手段2Bにおいて行われた音声パケット補償の回数Ｋを検出する。そして、検出した回数Ｋに基づいて、揺らぎ吸収バッファ2Aに対して指示するバッファ長Li及びバッファ蓄積制限時間Tiを算出する。このバッファ長Li,バッファ蓄積制限時間Tiの算出は、例えば、次式（ａ），（ｂ）に基づいて行う。
【００５２】
Ｌｉ＝Ｌ(i-1)×｛１＋ａ（Ｋ−α）｝  …  （ａ)
Ｔｉ＝Ｔ(i-1)×｛１＋ｂ（Ｋ−β）｝  …  （ｂ）
【００５３】
尚、式（ａ），（ｂ）において、L(i-1),T(i-1)は、それぞれ前回揺らぎ吸収バッファ2Aに対して指示したバッファ長，バッファ蓄積制限時間を表し、ａ，ｂ，α，βは定数（０＜ａ＜１，０＜ｂ＜１，０＜α＜１，０＜β＜１）を表している。このようにすることにより、音声パケット補償の検出回数Ｋが０回である場合には、揺らぎ吸収バッファ2Aに対して指示するバッファ長，バッファ蓄積制限時間を前回指示したバッファ長，バッファ蓄積制限時間よりも短くし、検出回数が１回以上である場合には、検出回数が多いほど、揺らぎ吸収バッファ2Aに対して指示するバッファ長，バッファ蓄積制限時間を大きな値とすることができる。以上述べた方法はあくまで一例であり、他の方法を採用しても良い。
【００５４】
2Iはユーザインタフェースである。上記(1)(2)(3)の機能は基本的には制御部 2HによりG3FAX通信の品質向上を目標として自律的に制御されるものであるが、ユーザインタフェース2Iはユーザのニーズに応じて上記(1)(2)(3)の制御状態を調整する機能を有する。例えば、受信側FAXの出力に要する時間を短縮したい場合には(1)(2)(3)の機能を小さくする方向に調整することができる。(1)(2)(3)の機能を大きく制御することは通常の音声通話時よりもPIX情報の再現精度・品質を向上する方向となるが、音声遅延が充分に少ない網環境において必要以上の制御はPIX情報の再現精度向上に繋がらず、むしろFAX伝送速度・出力の遅延を促す為、ユーザビリティの悪化に繋がる恐れもある為である。
【００５５】
〔実施の形態の動作の説明〕
次に本実施の形態の動作について詳細に説明する。先ず、図２を参照して、揺らぎ吸収バッファ 2Aにおいて、揺らぎのある網からの音声パケット列を音声データ（PIX情報）に再現する動作を説明する。この動作を本文では特に「G3FAX通信モード」と呼称する。G3FAX通信の為に、揺らぎ吸収バッファ2Aのバッファ長およびバッファ蓄積制限時間は、音声通過時に比較して大きく確保されている。
【００５６】
揺らぎのある網からの音声パケット群を揺らぎ吸収バッファ2Aに蓄積する手順は図９と同様だが、G3FAX通信モードの為、揺らぎ吸収バッファ2Aのバッファ長は通常の音声通話モードよりも大きく確保されており、ついでバッファ蓄積制限時間（一定時間）も長く確保される（4A）。この為、例えば図９で到着が遅延したパケット[2]のようなパケットも、本実施の形態ではバッファ蓄積に間に合う確率が高くなる。
【００５７】
揺らぎ吸収バッファ2Aが満杯になった場合又はバッファ蓄積制限時間を経過した場合のいずれかで、揺らぎ吸収バッファ2Aから逆パケット化手段2Bへパケットが取り出される（4B）。
【００５８】
到着順に並んでいるパケット群は、逆パケット化手段2Bでの音声補償と、タイムスタンプによる同期が行われ、音声データ（PIX情報）は音声補償の無い状態で再現される（4C）。以上が、本実施の形態によるG3FAX通信モードにおける音声データを再現する動作の手順である。本実施の形態のG3FAX通信モードではバッファ蓄積制限時間が長い為に、到着が遅延したパケットも破棄されずに救える可能性が高く、音声補償を行う回数を削減できる。従って、再現される音声データ（PIX情報）の精度をより向上することができる。
【００５９】
図３は、PIX情報のHDLCフレームの例（JT-T30）を表わしている。逆パケット化手段2Bで再現された音声データ（PIX情報）は図３のようなHDLCフレームの形態を取っている。プリアンブル延長手段2Cでは、再現された音声データ（PIX情報）のHDLCフレームのプリアンブル5Aを延長する。具体的にはHDLCフレームに「01111110」のフラグシーケンスを一定時間分（所定個数）追加する。尚、当然のことであるが、音声通話時には、プリアンブル延長手段2Cは、プリアンブルの延長は行わない。
【００６０】
プリアンブルとは、同期信号とも呼ばれ、フレームの先頭に位置するクロック同期のためのトレーラ部分で、前後のフレームで交わらないようにし、かつ信号の始まりを示す特定の信号のことである。TTC標準JT-T30ではPIX情報のHDLCフレームは「01111110」のフラグシーケンスの連続と規定される(5A)。TTC標準JT-T30ではプリアンブルの持続時間は１秒±15秒とされているが、同期が間に合わなかった場合に備えてG3FAX機器においては通常10秒以下程度のプリアンブル延長送信機能と、延長されたプリアンブル受信を許容する機能が設計段階で組み込まれている。
【００６１】
プリアンブルを延長するのは、受信側のG3FAX 1GにPIX情報のデータ部が到着するまでの時間を引き延ばすためである。言い換えれば、第ｎ番目のPIX情報の送信が完了するタイミングを遅らせ、第(ｎ＋1)番目のPIX情報が第ｎ番目のPIX情報に引き続き連続的に受信側G3FAXに送られるようにするためである。本実施の形態では揺らぎ吸収バッフ2Aのバッファ長及びバッファ蓄積制限時間を延長する為に、バッファ蓄積時間が従来技術よりも長くなる結果、受信側のG3FAX 1Gが受信するPIX情報のデータが通常よりも断続的に流れる可能性がある。PIX情報の受信データが断続的になることが受信側FAXにどのような影響を与えることになるかは受信側G3FAXの仕様によるが、実質上のデータ伝送速度をプリアンブル延長分で抑制することで、規定に合致した形で、できる限りスムーズにPIX情報のデータを流す目的で、本実施の形態ではプリアンブル延長機能を有している。
【００６２】
図４は、G3FAXのサービスシーケンスフローの例である。従来技術として既に規定されている為、詳細は省いているが、後述する実施例の説明を分かり易くする為、参考として掲載する。G3FAXのサービスシーケンスは、主に以下の５つのFAX呼フェーズに分類することができる。
【００６３】
フェーズ(A)：呼設定の手順（発着信制御）
フェーズ(B)：呼設定の後、メッセージ伝送に先立って行う手順
フェーズ(C)：メッセージ（PIX情報）伝送
フェーズ(D)：メッセージ伝送が終了したことを確認する手順
フェーズ(E)：呼復旧の手順（回線切断）
【００６４】
VoP網でのG3FAXサービスを想定した場合は、網の出入口にVoPゲートウェイを設置されていると仮定できる。
【００６５】
本実施の形態に関わる以下の信号は、それぞれ CEDはフェーズ(A)、 TCF・CFRはフェーズ(B)、 MPS・EOM・EOP・MCFはフェーズ(D) にて扱われる制御信号である。
【００６６】
図５は、本実施の形態によるFAX呼フェーズ(D)のMCF→MPSシーケンスを表わしている。尚、図５においてはMPS信号を送信する場合を仮定しているがEOM/TCFの場合も同様である。以下の説明文中のMPSはEOM/TCFに置き換えることも可能である。
【００６７】
MCF/CFR検出手段2F及び擬似MPS/EOM/TCF送出手段2Gは、制御部2Hの制御に従って、MCF→MPSシーケンスを繰り返す機能を有する。
【００６８】
図５において、１頁目のPIX情報を送信し終わった送信側G3FAX 1Aから送信されてくるMPS（1回目となる）に対して受信側はMCFを肯定応答する（7A）。
【００６９】
MCFは受信側のVoPゲートウェイ2をスルーして送信側G3FAX 1Aに到着し、それに従い送信側G3FAX 1A は次頁のPIX情報の送信を開始する。しかし、送信開始されたPIXは揺らぎ吸収バッファ2Aによって蓄積される為、この時点では受信側FAXに到着しない（7B）。
【００７０】
受信側のVoPゲートウェイ2は、送信側G3FAX 1Aになりすまして擬似的に2回目のMPSを送出する（7C）。この状態は、受信側G3FAX 1Gからの見かけ上「送信側G3FAX 1Aは、自ら送信したMPSに対する受信側G3FAX 1Gの肯定応答MCFを受け取っていない為PIX情報を送ることができない。再度受信側G3FAX 1Gの状態を確認する為、MPSを再送する。」という状態を作り出したことになる。
【００７１】
受信側G3FAX 1GはMCFに対してPIXが到着せずにMPSが再送された為に、2回目の肯定応答MCFを再送する。しかし、D/A変換手段 2Dは制御部 2Hの指示に従い、このMCFをブロックする為、送信側FAXに到着しない（7D）。
【００７２】
更に、7C同様に受信側VoPゲートウェイ2は、送信側G3FAX 1Aになりすまして再度、擬似的に3回目のMPSを送出する（7E）。
【００７３】
受信側G3FAX 1GはMCFに対してPIXが到着せずにMPSが再送された為に、3回目の肯定応答MCFを再送する（7F）。
【００７４】
さて、TTC標準JT-T30によりMPS/EOM/TCFの再送間隔は3秒毎・3回までと勧告されている。勧告に従い3回までのMPSの再送を実施した為、揺らぎ吸収バッファ 2Aに蓄積したPIX情報を受信側G3FAX 1Gに送信する（7G）。但し、送信側FAX 1Aには最初のMCFが既に到着済みの為、D/A変換手段 2Dは制御部 2Hの指示に従いMCFをブロックする。ゆえに送信側G3FAX 1Aには3回目のMCFは到着しない。
【００７５】
以上が制御部2Hの制御に従って、MCF→MPSシーケンスを繰り返す動作である。MCF→MPSシーケンスを繰り返す目的は、受信側G3FAX 1Gに次頁のPIX情報を届けるまでの時間を引き延ばすことである。再送間隔は3秒毎・3回までの勧告に従うと、約6秒の延長が可能となる。そのメリットとは、プリアンブル延長手段2Cとほぼ同様の理由で、本発明では揺らぎ吸収バッファ2Aのバッファ長及びバッファ蓄積制限時間を延長する為に、バッファ蓄積時間が従来技術よりも長くなる結果、受信側FAXが受信するPIX情報のデータが通常よりも断続的に流れる可能性がある為である。できる限りスムーズにPIX情報のデータを流し、且つバッファ蓄積時間を稼ぐ為に、本発明ではMCF→MPSシーケンス繰り返し機能を有している。
【００７６】
次に、図６，図７のフローチャートを参照して受信側のVoPゲートウェイ2全体の動作例を説明する。
【００７７】
図６，図７は「本実施の形態によるG3FAX通信モードを用いて、送信側G3FAX 1AからPIX情報を２頁分、受信側G3FAX 1Gに送信する」場合を仮定してフローチャート化したものである。尚、図６は、第１頁目を送信する際の動作を示し、図７は、第２頁目を送信する際の動作を示している。
【００７８】
フェース(A)開始後、受信側G3FAX 1GがCEDを送信すると、VoPゲートウェイ2内のCDE検出手段2EによってCDEが検出される(図６の8A)。制御部2Hは、CDE検出手段2EによってCDEが検出されると(8AがYes)、FAX通信であると判断し、G3FAX通信モードに切り替わり、揺らぎ吸収バッファ2Aおよびプリアンブル延長手段2Cに対して以下の指示を出す(8B）。
【００７９】
・揺らぎ吸収バッファ2Aに対し、バッファ長及びバッファ蓄積制限時間を指示する。このとき指示するバッファ長及びバッファ蓄積制限時間は、音声通話時のバッファ長及びバッファ蓄積制限時間よりも大きな値にする。
・プリアンブル延長手段2Cに対し、プリアンブルの延長時間を指示する。
【００８０】
揺らぎ吸収バッファ2Aは、上記指示を受けることにより、バッファ長及びバッファ蓄積制限時間を指示された値にする。また、プリアンブル延長手段2Cは、上記指示を受けることにより、逆パケット化手段2Bから入力されるパケットのプリアンブルを指示された時間だけ延長させる。
【００８１】
送信側G3FAX 1Aより1回目のTCFが送信され、受信側G3FAX 1Gが1回目のCFRの応答を返すシーケンスの後、送信側G3FAX 1Aより１頁目のPIX情報が送信され、揺らぎ吸収バッファ2AはPIX情報を蓄積し始める(8C)。
【００８２】
フローの左側において、揺らぎ吸収バッファ2AがPIX情報を蓄積する間、受信側G3FAX 1GにPIX情報が送られないままデータの流れが止まった状態となってしまうので、擬似MPS/EOM/TCF送出手段2Gは、擬似的に2回目のTCFを受信側G3FAX 1Gに対して送信し、CFRの再送を促す（8D）。
【００８３】
MCF/CFR検出手段2Fは、受信側G3FAX 1Gから再送されたCFRを検出する（8E）。
【００８４】
送信側G3FAX 1Aには1回目のCTFが既に到着済みの為、D/A変換手段 2Dは制御部 2Hの指示に従い再送された2回目のCTFはブロックする（8F）。
【００８５】
この時点でバッファ長が満杯になるか、もしくはバッファ蓄積制限時間が経過した場合は、VoPゲートウェイ2は蓄積したPIX情報を、プリアンブル延長したデータフレームによって受信側G3FAX 1Gへ伝送する（8G→8J）。また、TTC標準JT-T30勧告に従いTCFが３回目である場合も、受信側G3FAX 1GへPIX情報を伝送する（8G→8J）。
【００８６】
逆に、バッファ長もしくはバッファ蓄積制限時間に余裕ある場合か、またはTCFが３回に達してない場合は8Dの処理に戻る（8G→8D）。
【００８７】
フローの右側において、8Cにて送信側G3FAX 1Aより１頁目のPIX情報が送信され始めると同時に、揺らぎ吸収バッファ2Aはバッファ蓄積を開始する（8H）。
【００８８】
バッファ長が満杯になるもしくはバッファ蓄積制限時間が経過した時点で、VoPゲートウェイ2 は、蓄積したPIX情報をプリアンブル延長したデータフレームによって受信側FAX 1Gへ伝送する（8I→8J）。
【００８９】
１頁目のPIX情報の伝達が完了している場合、送信側G3FAX 1AからMPS又はEOMが送信される。
【００９０】
MPS又はEOMがまだ送信されてない場合は1頁目のPIX情報が継続中である為、8Cの処理へと戻る（8K→8C）。
【００９１】
MPS又はEOMが送信された場合は、送信側G3FAX 1Aより２頁目のPIX情報が送信され始めるので、揺らぎ吸収バッファ2Aは２頁目のPIX情報を蓄積し始める(図６の8K→図７の8L)。
【００９２】
これ以降の、8Lから8Tまでの２頁目のPIX情報の処理は、8Cから8Kまでの１頁目のPIX情報の処理と同様である為、割愛する。
【００９３】
尚、図６のフローチャートは、２頁目のPIX情報処理モードを1頁目時と変更したことを想定した形になっている事に注視されたい。即ち、TCFの代わりにMPSとし、更に、CFRの代わりにMCRとしている。
【００９４】
図６の２頁目のPIX情報処理の場合、１頁目の処理と比較してTCFがMPSにまたCFRがMCFとなる差分が、これは8Kの時点で送信側FAX 1Aからの次頁送信前処理信号がEOMであるかMPSであるかによって変わってくる。EOMである場合、PIX情報送信モードに変更がある為、フェーズ(B)からの処理となりTCFとCFRを扱う。MPSの場合は、PIX情報送信モードに変更が無くフェーズ(C)からの処理となり、MPSとMCFを扱う。
【００９５】
また、8K及び8Tの時点でG3FAX 1AからEOPが来た場合は、フェーズ(E)に移行し、FAX通信が終了して回線切断となる。
【００９６】
尚、図５における7Aから7Gまでの処理が、図7においてどの位置の処理に該当するか、7A〜7Gまでの項番を併せて記載してあるので参照して欲しい。
【００９７】
以上がG3FAX通信モードを用いて、送信側G3FAX 1AからPIX情報２頁分を受信側G3FAX 1Gに送信する場合の動作である。
【００９８】
〔実施の形態の効果〕
本実施の形態によれば、ファクシミリ通信時に揺らぎ吸収バッファ2Aのバッファ長及びバッファ蓄積制限時間を長くすることにより、ファクシミリ通信品質を高めるようにした場合であっても、受信側のファクシミリ装置1GにPIX情報をスムーズに流すことが可能になり、その結果、受信側のファクシミリ装置1Gに悪影響を及ぼす危険性が少なくなる。その理由は、揺らぎ吸収バッファ2Aから読み出したパケットを逆パケット化することにより再現したPIX情報のプリアンブルを延長した後、受信側のファクシミリ装置1Gへ送信するようにしているからである。
【００９９】
また、本実施の形態によれば、揺らぎ吸収バッファ2Aのバッファ長及びバッファ蓄積制限時間を自動的に最適なものにすることができる。その理由は、逆パケット化手段2Bで所定時間の間に行われた音声パケット補償の回数に基づいて、揺らぎ吸収バッファ2Aのバッファ長及びバッファ蓄積制限時間を決定する制御部2Hを備えているからである。
【０１００】
更に、本実施の形態によれば、呼設定の後、メッセージ伝送に先立って行う手順であるフェーズ(B)や、メッセージ伝送が終了したことを確認する手順であるフェーズ(D)から、メッセージ(PIX情報)伝送手順であるフェーズ(C)へ以降する際、受信側ファクシミリ装置1Gが肯定応答(MCF,CFR)を出力してから、PIX情報が送られてくるまでの時間を短くすることができる。その理由は、受信側のファクシミリ装置1Gから肯定応答(MCF,CFR)が戻ってきた場合、上記肯定応答(MCF,CFR)の要因となった信号(MPS,TCF)を擬似的に上記ファクシミリ装置1Gへ再送する擬似MPS/EOM/TCF送出手段2Gを備えているからである。本実施の形態のようにしなかった場合は、受信側ファクシミリ装置1Gが肯定応答(MCF,CFR)を送信してから、受信側VoPゲートウェイ2が次頁のPIX情報を受信側ファクシミリ装置1Gへ送るまでに時間がかかる場合があり(バッファ長及びバッファ蓄積制限時間が長い揺らぎ吸収バッファ2Aにパケットを蓄積するため)、このような場合、受信側ファクシミリ装置1Gに悪影響を与えてしまう恐れがある。
【０１０１】
〔本発明の他の実施の形態〕
上述した実施の形態では、揺らぎ吸収バッファ 2Aは、CED検出手段2EによりCEDを検出して受信側端末をG3FAXであると判断した場合、制御部2Hからの指示に従い揺らぎ吸収バッファ長及びバッファ蓄積制限時間を通常の音声通話時よりも大きく確保する機能を有する。しかしながら、揺らぎ吸収バッファ長及びバッファ蓄積制限時間の長大化するトリガを、CEDの検出以外のものにすることも可能である。
【０１０２】
第１に、G3FAX通信時、受信側のユーザの手動による特定のダイヤルトーン入力をD/A変換手段2Dが受けた時、制御部2Hは揺らぎ吸収バッファ長及びバッファ蓄積制限時間をG3FAX通信モードに設定することも可能である。
【０１０３】
第２に、G3FAX通信時、受信側ユーザによりユーザインタフェースによる特定の入力を受けた時、制御部2Hは揺らぎ吸収バッファ長及びバッファ蓄積制限時間をG3FAX通信モードに設定することも可能である。
【０１０４】
また、上述した実施の形態では、パケットの受信側がファクシミリ装置である場合、揺らぎ吸収バッファのバッファ長とバッファ蓄積制限時間の両方を音声通話時よりも長くするようにしたが、何れか一方のみを音声通話時よりも長くするようにしても良い。
【０１０５】
更に、上述した実施の形態では、所定時間の間に行われた音声パケット補償の回数に応じて揺らぎ吸収バッファのバッファ長とバッファ蓄積制限時間の両方を変更するようにしたが、何れか一方のみを変更するようにしても良い。
【０１０６】
また、上述の実施の形態では、プリアンブル延長手段2Cに対するプリアンブル延長時間をユーザインタフェース2Iを用いて設定するようにしたが、制御部2Hが、現時点の揺らぎ吸収バッファ2Aのバッファ長或いはバッファ蓄積制限時間に基づいて自動的に算出するようにしても良い。より具体的には、バッファ長或いはバッファ蓄積制限時間に比例した値とすることができる。
【０１０７】
更に、上述した実施の形態では、擬似MPS/EOM/TCF送出手段2GのTCF，MPS送信間隔，送信回数を、ユーザインタフェース2Iにより設定するようにしたが、制御部2Hが、現時点の揺らぎ吸収バッファ2Aのバッファ長或いはバッファ蓄積制限時間に基づいて自動的に算出するようにしても良い。より具体的には、バッファ長やバッファ蓄積時間に比例した値とすることができる。
【０１０８】
〔他の実施の形態の効果〕
本発明の他の実施の形態によれば、先の実施の形態で得られる効果に加え、プリアンブル延長時間を自動的に最適なものとすることができる。その理由は、揺らぎ吸収バッファ2Aのバッファ長或いはバッファ蓄積制限時間に基づいて、プリアンブル延長時間を算出する制御部2Hを備えているからである。
【０１０９】
更に、本発明の他の実施の形態によれば、TCF，MPS送信間隔，送信回数を自動的に最適なものとすることができる。その理由は、揺らぎ吸収バッファ2Aのバッファ長或いはバッファ蓄積制限時間に基づいてTCF，MPS送信間隔，送信回数を算出する制御部2Hを備えているからである。
【図面の簡単な説明】
【０１１０】
【図１】本発明にかかる受信側VoPゲートウェイ2の実施の形態の構成例を示すブロック図である。
【図２】本発明の実施の形態における揺らぎ吸収バッファ2A,逆パケット化手段2Bの動作を説明するための図である。
【図３】PIX情報のHDLCフレームの一例を示す図である。
【図４】G3FAXサービスの接続動作シーケンスフローである。
【図５】擬似MPS/EOM/TCF送出手段 2Gの動作を説明するための図である。
【図６】受信側VoPゲートウェイ2の動作例（第１頁目処理時の動作例）を示すフローチャートである。
【図７】受信側VoPゲートウェイ2の動作例（第２頁目処理時の動作例）を示すフローチャートである。
【図８】従来の一般的なVoPの構成を示すブロック図である。
【図９】従来の揺らぎ吸収バッファ1E3，逆パケット化手段1E1の動作を説明するための図である。
【図１０】G.144音声遅延ガイドラインを示した図である。
【符号の説明】
【０１１１】
1A,1G…G3FAX
1B,1F…PBX
1C,1E,2…VoPゲートウェイ
1C1…A/D変換手段
1C2…パケット生成手段
1E1,2B…逆パケット化手段
1E2,2D…D/A変換手段
1E3,2A…揺らぎ吸収バッファ
1D…VoP網
2C…プリアンブル延長手段
2E…CED検出手段
2F…MCF/CFR検出手段
2G…擬似MPS/EOM/TCF送出手段
2H…制御部
2I…ユーザインタフェース
【図１】
2006121176.tif 000003
【図２】
2006121176.tif 000004
【図３】
2006121176.tif 000005
【図４】
2006121176.tif 000006
【図５】
2006121176.tif 000007
【図６】
2006121176.tif 000008
【図７】
2006121176.tif 000009
【図８】
2006121176.tif 000010
【図９】
2006121176.tif 000011
【図１０】
2006121176.tif 000012